(57)【要約】【課題】  下枠と台座を１つの部材とすることにより、作業性を向上させると共に、安価に提供でき、スペーサーを分割タイプや流動性モルタルとすることにより、従来のようなリング状スペーサーのようなムダがなく、異なる厚みを有することにより上枠を所要の角度に斜状に形成することのできる防護蓋構造を提供する。【解決手段】  短円筒状本体の下端周縁内側にフランジを設けた上枠と、該上枠を着脱自在に内設する短円筒状本体の下端周縁外側にフランジを設けた下枠兼用台座と、上枠を支持する支持ボルトと、レベル調整ナットからなることを特徴とする。【選択図】  図１
2005042520.tif 000002
【特許請求の範囲】
【請求項１】
短円筒状本体の下端周縁内側にフランジを設けた上枠と、該上枠を着脱自在に内設する短円筒状本体の下端周縁外側にフランジを設けた下枠兼用台座と、上枠を支持する支持ボルトと、レベル調整ナットからなることを特徴とする防護蓋構造。
【請求項２】
上枠を斜状に支持する手段として、側面を開口した取付穴を設けた分割スペーサーによることを特徴とする請求項１記載の防護蓋構造。
【請求項３】
上枠を斜状に支持する手段として、流動性モルタルを充填することによる請求項１記載の防護蓋構造。
【発明の詳細な説明】
【技術分野】
【０００１】  本発明は、下水管路における縦管の上端開口部に設け、地盤沈下等により、地表レベルが変化した場合において、同様なレベルに調整することのできる防護蓋構造に関するものである。
【背景技術】
【０００２】  背景技術としては、短円筒状本体の下端周縁内側にフランジを設けた下枠と、短円筒状本体の下端周縁内側にフランジを設けた上枠とからなり、該上枠は該下枠上に嵌着されており、該上枠のフランジのねじ孔には先端を下枠のフランジ上面に当接する縁切りねじが螺着されていることを特徴とする防護蓋の蓋枠構造で、縁切りねじを螺入方向に回転させることによって上枠を下枠に対して若干上昇させて該上枠と周囲の地盤との間で縁切りを行った上で該上枠を該下枠から取り外し、次いで該下枠のフランジ上に所定厚のリング状スペーサーの所定枚数を載置した上で該上枠を再び該下枠上に嵌着することを特徴とする蓋枠高さ調節方法がある。（特許文献１参照）【０００３】
【特許文献１】        特開２００１−３２３１３号公報（請求項１、請求項３、図９）
【発明の開示】
【発明が解決しようとする課題】
【０００４】  しかしながら、上記のような形態では、施工する場合、上枠と下枠と台座との３点を必要とするため作業も面倒となり、かつ部品点数が多くなり必然的にコスト高となる。
また、リング状のスペーサーを使用するため、材料的にムダが多く、これまたコスト高の原因となっている。【０００５】  本発明は、上記の問題点に鑑みなされたもので、下枠と台座を１つの部材とすることにより、作業性を向上させると共に、安価に提供でき、スペーサーを分割タイプや流動性モルタルとすることにより、従来のようなリング状スペーサーのようなムダがなく、異なる厚みを有することにより上枠を所要の角度に斜状に形成することのできる防護蓋構造を提供することを目的とするものである。
【課題を解決するための手段】
【０００６】  課題を解決するための手段として、短円筒状本体の下端周縁内側にフランジを設けた上枠と、該上枠を着脱自在に内設する短円筒状本体の下端周縁外側にフランジを設けた下枠兼用台座と、上枠を支持する支持ボルトと、レベル調整ナットからなること。また、上枠を斜状に支持する手段として、側面を開口した取付穴を設けた分割スペーサーによる。さらに、上枠を斜状に支持する手段として、流動性モルタルを充填することによる。
【発明の効果】
【０００７】１）、下枠と台座を一体化することにより、従来のような別々の取付作業を必要とせず、作業性を向上させてなる効果がある。
２）、分割スペーサーにより、従来のようなリング状スペーサーと比較し、材料コスト等、安価に提供できると共に、防護蓋構造の大きさに左右されず兼用して使用できる効果がある。
３）、分割スペーサーを、異なる厚みで構成することにより、簡易に上枠を斜状に形成できる効果がある。
４）、流動性モルタルを使用することにより、どのような傾斜角度にも対応できる。
【発明を実施するための最良の形態】
【実施例１】
【０００８】  防護蓋構造１は、下枠兼用台座２と、支持ボルト３と、分割スペーサー４と、レベル調整ナット５と、上枠６と、防護蓋７とからなるものである。
下枠兼用台座２は、適宜な厚みを有する鋳鉄製や合成樹脂製等によるもので、短円筒状本体２ａの下端周縁外側にフランジ２ｂを設けてなるものである。
支持ボルト３は、一般に市販されている六角ボルトであり、本実施例の場合、３本使用するものである。
分割スペーサー４は、後述する上枠を斜状に支持するもので、合成樹脂製等により加工され、各々厚みＴ・Ｔ１．Ｔ２が異なり、側面を開口４ａ１ａ・４ｂ１ｂ・４ｃ１ｃした取付穴４ａ１・４ｂ１・４ｃ１を設けた細分割スペーサー４ａ・４ｂ・４ｃから構成されるものである。
レベル調整ナット５は、球面ナット５ａと球面座金５ｂとから構成される。
球面ナット５ａは、上面を球面状５ａ２に形成し、平面六角形状に形成してなるもので、２箇所に上方から挿入するアジャスト用のハンドルの爪片を係止する係止溝５ａ１を設けてある。
球面座金５ｂは、上記下枠兼用台座２の下面を自在に支持する底面を球面状５ｂ２に形成してなるものである。
上枠６は、鋳鉄製や合成樹脂製等による上記下枠兼用台座２に着脱自在に内設してなるもので、短円筒状本体６ａの下端周縁内側にフランジ６ｂを設けてなり、上記支持ボルト３を挿入する長穴６ｂ１を設けてある。
防護蓋７は、鋳鉄製や合成樹脂製等による上記上枠６の上部に着脱自在に設けてなるものである。【０００９】  上記防護蓋構造１の使用例について下記に述べる。
例えば、公道（自動車が通行する道路）に施工した後、周囲が地盤沈下等により斜状に変形した時、まず防護蓋７を開け、ナットＮ（３箇所）を取り外す。
その後、筒状のハンドルＨを支持ボルト３の上方より挿入し、爪片Ｈ１を球面座金５ｂを介して球面ナット５ａの係止溝５ａ１に係止させ、回転させてレベル調整を行う。
この状態で、所要の分割スペーサー４（細分割スペーサー４ａ・４ｂ・４ｃ）を各支持ボルト３に開口４ａ１ａ・４ｂ１ｂ・４ｃ１ｃより差し入れ、取付穴４ａ１・４ｂ１・４ｃ１を取り付ける。
そして、最後にナットＮを締め付け、防護蓋７を取り付けて施工作業を終了する。
【実施例２】
【００１０】  つぎに、他の防護蓋構造について説明する。
防護蓋構造２１は防護蓋構造１の分割スペーサー４に替えて、流動性モルタル８を使用するもので、施工例としては、前記第１実施例と同様にハンドルＨにて球面ナット５ａを回転させてレベル調整を行った後、内フォームＵを内周面にセットし、流動モルタル８（無収縮性のものがよい）を流し込み、硬化後、ナットＮを締め付け、固定する。
【産業上の利用可能性】
【００１１】  防護蓋構造は、上記の構成により、誰でも容易に施工作業を行うことができ、かつ、レベル調整も簡単であり、分割スペーサーや流動モルタルは防護蓋構造の大きさに関係なく使用できるため、コスト的にも在庫的にも有効で産業上の利用可能性は大きいものである。
【図面の簡単な説明】
【００１２】
【図１】  本発明の第１実施例を示す防護蓋構造の一部縦断正面図。
【図２】  本発明の第１実施例を示す防護蓋構造の下枠兼用台座の平面図。
【図３】  本発明の第１実施例を示す防護蓋構造の分割スペーサーの斜視図。
【図４】  本発明の第１実施例を示す防護蓋構造のレベル調整ナットの球面ナットの平面図。
【図５】  本発明の第１実施例を示す防護蓋構造のレベル調整ナットの球面ナットの縦断正面図。
【図６】  本発明の第１実施例を示す防護蓋構造のレベル調整ナットの球面座金の縦断正面図。
【図７】  本発明の第１実施例を示す防護蓋構造の上枠の平面図。
【図８】  本発明の第１実施例を示す防護蓋構造のレベル調整時の要部の縦断正面図。
【図９】  本発明の第２実施例を示す防護蓋構造の一部縦断正面図。
【符号の説明】
【００１３】１−−−防護蓋構造
２−−−下枠兼用台座
３−−−支持ボルト
４−−−分割スペーサー
５−−−レベル調整ナット
６−−−上枠
７−−−防護蓋
【図１】
2005042520.tif 000003
【図２】
2005042520.tif 000004
【図３】
2005042520.tif 000005
【図４】
2005042520.tif 000006
【図５】
2005042520.tif 000007
【図６】
2005042520.tif 000008
【図７】
2005042520.tif 000009
【図８】
2005042520.tif 000010
【図９】
2005042520.tif 000011